(57)【要約】  通信ネットワーク内で無線リソースユニットＲＲＵのベースバンドユニットＢＢＵへの接続を制御するために、通信ネットワーク内のネットワークノード（１０）によって実行される方法が開示される。通信ネットワークは複数のＲＲＵ（２１〜２４）および複数のＢＢＵ（４１〜４３）を備え、各ＲＲＵは分散ネットワーク（３５）を介してＢＢＵに接続される。方法は、第１のＲＲＵ（２１）の第１のＢＢＵ（４１）への接続が制御されることになることを示す情報を受信すること（１０２）、ならびに、近隣ＲＲＵ（２２、２３）からの信号に対して測定を実行するために、および実行された測定の報告を通信ネットワークに送信するために、第１のＲＲＵ（２１）に接続されたユーザ機器ＵＥ（３０）をトリガすること（１０４）を含む。方法は、実行された測定の報告を受信すること（１０６）、ならびに、実行された測定の報告と、近隣ＲＲＵ（２２、２３）が複数のＢＢＵ（４１〜４３）のうちのいずれに接続されるかに関する情報とに基づいて、複数のＢＢＵ（４１〜４３）の中から第１のＲＲＵ（２１）が接続されることになるＢＢＵを選択すること（１０８）を、さらに含む。対応するネットワークノードも開示される。【選択図】図１
2015534368.tif 000002
【特許請求の範囲】
【請求項１】
通信ネットワーク内で無線リソースユニットＲＲＵのベースバンドユニットＢＢＵへの接続を制御するために、前記通信ネットワーク内のネットワークノード（１０）によって実行される方法であって、前記通信ネットワークは複数のＲＲＵ（２１〜２４）および複数のＢＢＵ（４１〜４３）を備え、各ＲＲＵは分散ネットワーク（３５）を介してＢＢＵに接続され、
第１のＲＲＵ（２１）の第１のＢＢＵ（４１）への接続が制御されることになることを示す情報を受信すること（１０２）、
近隣ＲＲＵ（２２、２３）からの信号に対して測定を実行するために、および前記実行された測定の報告を前記通信ネットワークに送信するために、前記第１のＲＲＵ（２１）に接続されたユーザ機器ＵＥ（３０）をトリガすること（１０４）、
前記実行された測定の前記報告を受信すること（１０６）、
前記実行された測定の報告と、前記近隣ＲＲＵ（２２、２３）が前記複数のＢＢＵ（４１〜４３）のうちのいずれに接続されるかに関する情報とに基づいて、前記複数のＢＢＵ（４１〜４３）の中から前記第１のＲＲＵ（２１）が接続されることになるＢＢＵを選択すること（１０８）、
を、含む方法。
【請求項２】
前記第１のＲＲＵ（２１）が接続されることになるＢＢＵを選択すること（１０８）は、前記実行された測定の報告からいずれのＲＲＵが前記近隣ＲＲＵであるかを決定すること、および前記決定された近隣ＲＲＵがいずれのＢＢＵに接続されているかを決定すること、および前記近隣ＲＲＵのうちのいずれかが接続されるＢＢＵを選択することを、さらに含む、請求項１に記載の方法。
【請求項３】
前記実行された測定の報告は、前記複数のＲＲＵ（２１〜２４）のうちのいずれが前記近隣ＲＲＵ（２２、２３）であるかを検出するために使用される、請求項１または２に記載の方法。
【請求項４】
前記選択されたＢＢＵが前記第１のＢＢＵ（４１）とは異なる第２のＢＢＵ（４２）である場合、前記第１のＲＲＵ（２１）を前記第１のＢＢＵ（４１）から切断するための命令をトリガすること（１１２）、
前記第１のＲＲＵ（２１）を前記第２のＢＢＵ（４２）に接続するための命令をトリガすること（１１４）、
をさらに含む、請求項１から３のいずれか一項に記載の方法。
【請求項５】
前記選択されたＢＢＵが前記第１のＢＢＵである場合、前記第１のＲＲＵ（２１）の前記第１のＢＢＵ（４１）への接続を維持すること（１１１）をさらに含む、請求項１から４のいずれか一項に記載の方法。
【請求項６】
前記第１のＲＲＵ（２１）の前記第１のＢＢＵ（４１）への前記接続が制御されることになることを示す前記情報は、前記第１のＲＲＵの前記第１のＢＢＵへの前記接続が確立されていることを示す情報である、請求項１から５のいずれか一項に記載の方法。
【請求項７】
前記第１のＲＲＵ（２１）の前記第１のＢＢＵ（４１）への前記接続が制御されることになることを示す前記情報は、前記第１のＲＲＵが前記通信ネットワークに追加されていることを示す情報である、請求項１から６のいずれか一項に記載の方法。
【請求項８】
通信ネットワーク内の無線リソースユニットＲＲＵのベースバンドユニットＢＢＵへの接続を制御するように構成された、前記通信ネットワーク内のネットワークノード（１０）であって、前記通信ネットワークは複数のＲＲＵ（２１〜２４）および複数のＢＢＵ（４１〜４３）を備え、各ＲＲＵは分散ネットワーク（３５）を介してＢＢＵに接続され、
第１のＲＲＵ（２１）の第１のＢＢＵ（４１）への接続が制御されることになることを示す情報を受信するように構成された受信ユニット（２０２）と、
近隣ＲＲＵ（２２、２３）からの信号に対して測定を実行するために、および前記実行された測定の報告を前記通信ネットワークに送信するために、前記第１のＲＲＵ（２１）に接続されたユーザ機器ＵＥ（３０）をトリガするように構成された、トリガユニット（２０４）と、
前記実行された測定の報告と、前記近隣ＲＲＵ（２２、２３）が前記複数のＢＢＵ（４１〜４３）のうちのいずれに接続されるかに関する情報とに基づいて、前記複数のＢＢＵ（４１〜４３）の中から前記第１のＲＲＵ（２１）が接続されることになるＢＢＵを選択するように構成された選択ユニット（２０６）と、
を備え、
前記受信ユニット（２０２）は、前記実行された測定の前記報告を受信するようにさらに構成される、
ネットワークノード（１０）。
【請求項９】
前記選択ユニット（２０６）は、前記実行された測定の報告からいずれのＲＲＵが前記近隣ＲＲＵであるかを決定すること、および前記決定された近隣ＲＲＵがいずれのＢＢＵに接続されているかを決定すること、および前記近隣ＲＲＵのうちのいずれかが接続されるＢＢＵを選択することによって、前記第１のＲＲＵ（２１）が接続されることになるＢＢＵを選択するように構成される、請求項８に記載のネットワークノード（１０）。
【請求項１０】
前記選択ユニット（２０６）は、前記複数のＲＲＵ（２１〜２４）のうちのいずれが前記近隣ＲＲＵ（２２、２３）であるかを検出するために、前記実行された測定の報告を使用するように構成される、請求項８または９に記載のネットワークノード（１０）。
【請求項１１】
前記トリガユニット（２０４）は、前記選択されたＢＢＵが前記第１のＢＢＵ（４１）とは異なる第２のＢＢＵ（４２）である場合、前記第１のＲＲＵ（２１）を前記第１のＢＢＵ（４１）から切断するための命令をトリガするように、および前記第１のＲＲＵ（２１）を前記第２のＢＢＵ（４２）に接続するための命令をトリガするように、構成される、請求項８から１０のいずれか一項に記載のネットワークノード（１０）。
【請求項１２】
前記トリガユニット（２０４）は、前記選択されたＢＢＵが前記第１のＢＢＵ（４１）である場合、前記第１のＲＲＵ（２１）の前記第１のＢＢＵ（４１）への前記接続を維持するように構成される、請求項８から１１のいずれか一項に記載のネットワークノード（１０）。
【請求項１３】
前記第１のＲＲＵ（２１）の前記第１のＢＢＵ（４１）への前記接続が制御されることになることを示す前記情報は、前記第１のＲＲＵの前記第１のＢＢＵへの前記接続が確立されていることを示す情報である、請求項８から１２のいずれか一項に記載のネットワークノード（１０）。
【請求項１４】
前記第１のＲＲＵ（２１）の前記第１のＢＢＵ（４１）への前記接続が制御されることになることを示す前記情報は、前記第１のＲＲＵが前記通信ネットワークに追加されていることを示す情報である、請求項８から１３のいずれか一項に記載のネットワークノード（１０）。
【請求項１５】
前記請求項８から１４のいずれか一項に記載のネットワークノード内で実行された場合、前記請求項１から７のいずれか一項に記載の対応する方法を前記ネットワークノードに実行させる、コンピュータ可読コード手段を備える、コンピュータプログラム製品。
【請求項１６】
前記請求項８から１４のいずれか一項に記載のネットワークノード内で実行された場合、前記請求項１から７のいずれか一項に記載の対応する方法を前記ネットワークノードに実行させる、コンピュータ可読コード手段を備える、コンピュータプログラム。
【発明の詳細な説明】
【技術分野】
【０００１】
本開示は、一般に、通信ネットワーク内で、無線リソースユニットＲＲＵのベースバンドユニットＢＢＵへの接続を制御するための、通信ネットワーク内のネットワークノードおよびネットワークノードによって実行される方法に関する。
【背景技術】
【０００２】
通信ネットワークの無線基地局（ＲＢＳ）は、アンテナ、アンテナで受信される信号のアナログデジタル変換のための、およびアンテナから送信される信号のデジタルアナログ変換のための無線周波数（ＲＦ）ユニット、周波数変換ユニット、ベースバンド（ＢＢ）信号処理ユニットなどを備える。従来、ＲＦユニット、周波数変換ユニット、およびＢＢ信号処理ユニットは物理的にまとめて配置されるが、アンテナとは分割される。例えばマクロＲＢＳの場合、アンテナは、送信される信号がさらに遠くに到達できるように建物の屋根に配置されることがあり、残りのＲＢＳ、例えばＲＦユニット、周波数変換ユニット、およびＢＢ信号処理ユニットは、地階に配置されることがある。アンテナで受信されるアナログ信号、およびアンテナと残りのＲＢＳとの間でアンテナから送信されることになるアナログ信号を誘導するためには、より高価な同軸ケーブルが必要である。例えば、より安価なツイストペアワイヤが使用される場合、信号が劣化するリスクがある。これは、アンテナと残りのＲＢＳとの間の距離を特に長くできないことを意味する。
【０００３】
より最近の開発において、ＲＢＳは無線リソースユニット（ＲＲＵ）およびベースバンドユニット（ＢＢＵ）に分割され、ＲＲＵはＲＦユニットを備え、ＢＢＵはＢＢ信号処理ユニットを備える。ＲＲＵは、かなり小型にすることができ、したがってアンテナと共に配置される。ＢＢＵは、建物の地階などにある中央局内に配置可能である。ＲＲＵとＢＢＵとの間の信号はデジタルで送信可能であるため、重く高価な同軸ケーブルに比べて技術経済的利得を伴うツイストペア銅ケーブルまたは光ファイバなどの伝送線が使用可能である。これは、ＲＲＵとＢＢＵとの間の距離を１０ｋｍ台とより長くできるため、多くのＢＢＵをより少ないスポットにまとめて配置可能であり、オペレータにとって潜在的にサイトが単純になることも意味する。
【０００４】
特に、密集都市エリアでは、マクロセルＲＲＵと同様により多くの小セルＲＲＵも配設する必要がある。そこで、経済的に有利な解決策は、ＢＢＵをハブサイトにさらにいっそう集中させることである。したがって、ハブサイトは多数のＲＲＵにサービスを提供することができるいくつかのＢＢＵを有する。通常、１つのＢＢＵが２つ以上のＲＲＵにサービスを提供する。ハブサイト内のＢＢＵの集中度は変わることがあり、ハブサイトは、集中無線アクセスネットワーク（ＲＡＮ）解決策のＣｈｉｎｅ  Ｍｏｂｉｌｅ概念において提案されるように、１ダースから１００、あるいは何千にも及ぶＲＲＵのいずれにもサービスを提供する。こうした多数のＲＲＵのＢＢＵへの接続を可能にするために、および重要なこととしてスケーラブルな解決策を達成するために、すなわち、ネットワークに対してＲＲＵを動的に追加または削除できるようにするために、ＲＲＵとＢＢＵとの間で分散ネットワークが提案される。分散ネットワークは、光分散ネットワーク（ＯＤＮ）とすることができる。ＲＲＵが分散ネットワークを介してＢＢＵに接続されるアーキテクチャでは、ＲＲＵのＢＢＵへの接続、またはＲＲＵとＢＢＵとの間の接続を、制御する必要がある。
【発明の概要】
【０００５】
本発明の目的は、上記で概説した問題および課題のうちの少なくともいくつかに対処することである。より具体的に言えば、目的は、通信ネットワーク内でＲＲＵのＢＢＵへの接続を制御することであり、ＲＲＵは分散ネットワークを介してＢＢＵに接続される。添付の独立請求項に定義されたような方法およびネットワークノードを使用することで、これらおよび他の目的を達成することが可能である。
【０００６】
一態様によれば、通信ネットワーク内のネットワークノードによって実行される方法が提供され、方法は、通信ネットワーク内で無線リソースユニットＲＲＵのベースバンドユニットＢＢＵへの接続を制御するように構成されている。通信ネットワークは複数のＲＲＵおよび複数のＢＢＵを備え、各ＲＲＵは分散ネットワークを介してＢＢＵに接続される。方法は、第１のＲＲＵの第１のＢＢＵへの接続が制御されることになることを示す情報を受信すること、ならびに、近隣ＲＲＵからの信号に対して測定を実行するために、および実行された測定の報告を通信ネットワークに送信するために、第１のＲＲＵに接続されたユーザ機器ＵＥをトリガすることを含む。方法は、実行された測定の報告を受信すること、ならびに、実行された測定の報告と、近隣ＲＲＵが複数のＢＢＵのうちのいずれに接続されるかに関する情報とに基づいて、複数のＢＢＵの中から第１のＲＲＵが接続されることになるＢＢＵを選択することを、さらに含む。
【０００７】
第２の態様によれば、通信ネットワーク内の無線リソースユニットＲＲＵのベースバンドユニットＢＢＵへの接続を制御するように構成された、通信ネットワーク内のネットワークノードが提供される。通信ネットワークは複数のＲＲＵおよび複数のＢＢＵを備え、各ＲＲＵは分散ネットワークを介してＢＢＵに接続される。ネットワークノードは、第１のＲＲＵの第１のＢＢＵへの接続が制御されることになることを示す情報を受信するように構成された受信ユニットと、近隣ＲＲＵからの信号に対して測定を実行するために、および実行された測定の報告を通信ネットワークに送信するために、第１のＲＲＵに接続されたユーザ機器ＵＥをトリガするように構成されたトリガユニットと、を備える。ネットワークノードは、実行された測定の報告と、近隣ＲＲＵが複数のＢＢＵのうちのいずれに接続されるかに関する情報とに基づいて、複数のＢＢＵの中から第１のＲＲＵが接続されることになるＢＢＵを選択するように構成された選択ユニットをさらに備える。さらに受信ユニットは、実行された測定の報告を受信するように構成される。
【０００８】
第３の態様によれば、第２の態様によるネットワークノード内で実行される場合、第１の態様による対応する方法をネットワークノードに実行させる、コンピュータ可読コード手段を備える、コンピュータプログラム製品が提供される。
【０００９】
上記の方法および装置は、以下の詳細な説明に記載される異なる任意選択の実施形態に従って構成および実装することが可能である。さらに本解決策の可能な特徴および特典が、以下の詳細な説明から明らかとなろう。
【００１０】
次に本解決策について、例示の実施形態を用いて、また添付の図面を参照しながら、より詳細に説明する。
【図面の簡単な説明】
【００１１】
【図１】いくつかの可能な実施形態に従った、通信ネットワークのアーキテクチャを示す概略ブロック図である。
【図２】可能な実施形態に従った、無線ネットワークノードの通信ネットワークへの接続を制御するための方法を示す、通信シナリオを示す図である。
【図３】他の可能な実施形態に従った方法を示すフローチャートである。
【図４】さらに可能な実施形態に従ったネットワークノードをより詳細に示す概略ブロック図である。
【発明を実施するための形態】
【００１２】
簡潔に説明すると、ＲＲＵとＢＢＵとの間の接続を制御するための解決策が通信ネットワーク内に提供され、ＲＲＵは分散ネットワークを介してＢＢＵに接続される。従来技術においてＲＲＵを適切なＢＢＵに接続するためには、容量の問題により、さらに隣接ＲＲＵを調整して同じかまたは隣接ＢＢＵに接続しなければならないため、細心の計画が必要である。
【００１３】
ネットワークに接続されたＲＲＵが自動的に適切なＢＢＵに接続される場合、有利である。分散ネットワークを介した、例えばＲＲＵとＢＢＵとの間の接続を制御するためのラムダコントローラ（λＣＴＲＬ）と呼ばれる新規のネットワークノードの解決策が、出願人から新規に提案されている。λＣＴＲＬは、分散ネットワークを介したＲＲＵとＢＢＵとの間のパスをセットアップおよび解体するように、ならびに、これらのパスを介して相互接続されたエンティティを追跡するように、構成される。λＣＴＲＬは、ネットワークに新規に追加されたＲＲＵを発見するようにも構成される。λＣＴＲＬは、新規に追加されたＲＲＵを発見およびセットアップするための良好な解決策を提供する。しかしながら、新規に追加されたＲＲＵは、空き容量を有する任意のＢＢＵにセットアップされる。ネットワークの容量の使用率を改善するために、および近隣ＲＲＵのＢＢＵ接続の調整のために、本発明の実施形態として以下の方法が提案される。
【００１４】
リモート無線トポロジオーガナイザＲ２ＴＯと呼ばれることのあるネットワークノードは、ＲＲＵがネットワークに追加され分散ネットワークを介してＢＢＵに接続された旨の情報を、ネットワークから、例えばλＣＴＲＬから取得する。その後Ｒ２ＴＯは、追加されたＲＲＵに接続されたユーザ機器ＵＥに測定報告要求を送信するために、ＲＲＵが接続されたＢＢＵをトリガする。ＵＥは、近隣セル上で測定を実行するように要求される。実行された測定は、その後、各測定がいずれの近隣セルおよび／または近隣ＲＲＵに属するかの識別と共に、ネットワークに報告される。測定は、標準３ＧＰＰ測定報告として報告することができる。Ｒ２ＴＯは、ネットワークから、例えばオペレーションおよびサポートシステム、ＯＳＳノードから、測定報告を受信する。その後Ｒ２ＴＯは、測定報告を評価して、追加されたＲＲＵの近隣のＲＲＵを決定する。その後Ｒ２ＴＯは、ネットワークデータベースを介して、近隣ＲＲＵがいずれのＢＢＵに接続されているかをチェックする。その後、追加されたＲＲＵは、近隣ＲＲＵが接続されているのと同じＢＢＵに接続される。近隣ＲＲＵが異なるＢＢＵに接続される場合、追加されたＲＲＵは、大多数の近隣ＲＲＵが接続されているＢＢＵに接続されてもよい。代替として、追加されたＲＲＵは、信号強度が最高の近隣ＲＲＵが接続されているＢＢＵに接続されてもよい。
【００１５】
こうした解決策により、第１のＲＲＵをその近隣ＲＲＵと同じＢＢＵにセットアップすることができる。これは隣接無線信号、すなわち近隣ＲＲＵしたがって隣接アンテナに属する無線信号を、同じＢＢＵ内で処理することを可能にするので有利である。直交周波数分割多重、ＯＦＤＭなどの、現在の無線通信技術では、隣接アンテナは同じ周波数を介して実行するので干渉する。したがって、この干渉を軽減することが重要である。そのための最善の方法は、干渉し合う無線信号を同じＢＢＵ内で処理することである。前述の解決策によって、ネットワークに追加されたＲＲＵは、その近隣ＲＲＵと同じＢＢＵにセットアップされる。
【００１６】
図１は、可能な実施形態に従った例示の通信ネットワークを示す。図１の通信ネットワークは４つのＲＲＵ  ２１〜２４を含む。４つのＲＲＵ  ２１〜２４の各々は、それぞれセル２６〜２９と呼ばれる地理的領域にカバレージを与える。セル２６〜２９のいずれかに常駐するＵＥ（モバイル端末またはモバイル局）は、ＵＥが常駐するセルにサービスを提供するＲＲＵに無線接続され得る。図１で、セル２６に常駐するＵＥ  ３０は、ＲＲＵ１  ２１に無線接続されている。ＲＲＵはアンテナおよびＲＦ構成要素で構成され得、ＵＥから受信したアナログ信号をデジタル信号に変換すること、ならびに、ＢＢＵから受信したデジタル信号をＵＥに送信されることになるアナログ信号に変換することを、容易にする。４つのＲＲＵは、分散ネットワーク３５を介してＢＢＵ  ４１〜４３のうちの１つに各々接続される。分散ネットワーク３５は、共通公衆無線インターフェースＣＰＲＩなどの、ＲＲＵとＢＢＵとの間の通信に使用されるプロトコルをサポートすることが可能な、ネットワークである。分散ネットワーク３５は、マイクロ波リンクもしくはミリ波リンク、銅ベースリンク、および／または光リンクを含むことができる。大規模ネットワークでは、分散ネットワークはおそらく、波長分割多重ＷＤＭに対するサポートを備える光ネットワークとすることができる。ＢＢＵ  ４１〜４３は、ＲＲＵから受信したデジタル信号に対して、および、典型的にはパケットネットワーク５３を介してコアネットワーク５４などの通信ネットワークの他の部分から受信し、ＲＲＵに向けて送られるデジタル信号に対して信号処理を実行するように、各々構成される。図１の通信ネットワークは、オペレーションおよびサポートシステムＯＳＳノード５２をさらに含む。ＯＳＳノードは、通信ネットワークユニット、例えばＲＲＵ、ＢＢＵ、コアネットワーク、およびパケットネットワークを管理するために使用される。ＯＳＳノードは、ＵＥを管理するためにも使用される。
【００１７】
分散ネットワーク３５をサポートするために、通信ネットワーク内にλＣＴＲＬ  ５１と呼ばれるノードが存在する。前述のように、λＣＴＲＬ  ５１は、分散ネットワーク３５を介した、例えばＲＲＵとＢＢＵとの間の接続を制御するために構成される。λＣＴＲＬは、分散ネットワークを介したＲＲＵとＢＢＵとの間のパスをセットアップおよび解体するように、ならびに、分散ネットワークを介して相互接続されたエンティティを追跡するように、構成される。λＣＴＲＬは、ネットワークに新規に追加されたＲＲＵを発見するようにも構成される。λＣＴＲＬは、Ｒ２ＴＯ  １０などの他のノードから接続要求を受信して実行することも可能である。
【００１８】
図２は、実施形態に従った方法を実装する時の通信シナリオを示し、方法はＲ２ＴＯ  １０によって実行される。方法は、ＲＲＵ１  ２１などのＲＲＵの、分散ネットワーク３５を介したＢＢＵへの接続制御を実行する。方法の利点は、通信ネットワークの容量の使用率を改善することである。他の利点は、近隣ＲＲＵに関するＢＢＵへの接続の調整を提供することである。方法は、制御の必要があるＲＲＵ−ＢＢＵ接続を通知するメッセージ２．１を、Ｒ２ＴＯが受信することによって開始される。以下の例では、ＲＲＵ１  ２１とＢＢＵ１  ４１との間の接続が制御されることになるものと想定している。メッセージ２．１はλＣＴＲＬ  ５１からＲ２ＴＯ  １０に送信され得る。λＣＴＲＬ  ５１は、ＲＲＵ１  ２１がネットワークに追加されたことに基づいてメッセージ２．１を送信するためにトリガされ得、ＲＲＵ１  ２１がそのセル２６内にＵＥへの接続処理を開始できるように、ＲＲＵ１  ２１を任意のＢＢＵ、この場合はＢＢＵ１  ４１に接続するために、λＣＴＲＬ  ５１を第１にトリガする。代替として、制御の必要があるＲＲＵ−ＢＢＵ接続を通知するメッセージ２．１ａは、ＯＳＳ  ５２によって送信され得る。情報は、新規または追加されたＲＲＵに関するＯＳＳ情報のイベントサブスクリプションを介して、あるいはＯＳＳ  ５２をポーリングすることによって、ＯＳＳから受信され得る。代替として、情報メッセージ２．１または２．１ａは、任意の接続制御理由のために、例えばＲＲＵがその近隣ＲＲＵと同じＢＢＵに接続されていることを定期的にチェックするために、送信することができる。
【００１９】
Ｒ２ＴＯ  １０が情報メッセージ２．１または２．１ａを受信すると、Ｒ２ＴＯはＢＢＵ１  ４１をトリガして２．２、ＲＲＵ１  ２１に無線接続されたＵＥ  ３０に近隣セル測定を含む測定報告を要求する。代替としてＲ２ＴＯは、ＯＳＳ  ５２をトリガして、ＵＥ  ３０に近隣セル測定を含む測定報告を要求するようＢＢＵ１  ４１に要求する。報告は、３ＧＰＰによって定義される標準測定報告とすることが可能であり、この報告は例えばハンドオーバを実行可能にするために使用される。その後ＵＥ  ３０は、可聴の近隣ＲＲＵから受信した信号に対して測定する２．３。測定は、信号強度測定とすることができる。次にＵＥは、発見するために管理していた近隣ＲＲＵから受信した測定の報告を編集する。報告は標準３ＧＰＰ測定報告とすることができる。報告は、ＲＲＵ１  ２１の近隣にあるＲＲＵを識別できるための、ある種のセクタ／セル／ＲＲＵ識別子も含む。この例では、ＵＥ  ３０は近隣のＲＲＵ、ＲＲＵ２  ２２およびＲＲＵ３  ２３から信号を受信することができる。その後、ＵＥ  ３０はＲＲＵ１  ２１およびＢＢＵ１  ４１を介してＯＳＳ  ５２に、ネットワークへの測定報告を送信する２．４。Ｒ２ＴＯ  １０はその後、ＯＳＳ  ５２から測定報告を受信する２．５。代替として、測定報告は、ＵＥ  ３０からＲ２ＴＯ  １０へ、通信ネットワーク内の任意の他の可能な道を通ることができる。
【００２０】
Ｒ２ＴＯ  １０は、その後、受信した測定報告と、近隣ＲＲＵが複数のＢＢＵのうちのいずれに接続されるかに関する情報とに基づいて、ＲＲＵ１  ２１が接続されることになるＢＢＵを選択する２．６。より具体的に言えば、実施形態に従って、Ｒ２ＴＯ  １０は測定報告から、いずれのＲＲＵが近隣ＲＲＵであるかを決定する。さらにＲ２ＴＯ  １０は、例えばＲ２ＴＯがアクセス権を有するデータベースを介して、決定された近隣ＲＲＵがいずれのＢＢＵに接続されるかを決定し、近隣ＲＲＵが接続されているのと同じＢＢＵをＲＲＵ１に対して選択する。ＲＲＵとＢＢＵとの間の接続情報は、λＣＴＲＬ  ５１によって提供可能である。この例で、Ｒ２ＴＯは、近隣ＲＲＵである、ＲＲＵ２  ２２およびＲＲＵ３  ２３がどちらもＢＢＵ２  ４２に接続されていることを発見する。したがってＲ２ＴＯ  １０は、ＲＲＵ１  ２１が接続されるべきＢＢＵとして、ＢＢＵ２  ４２を選択する。近隣ＲＲＵが複数のＢＢＵに接続されている場合、ＢＢＵは大多数の近隣ＲＲＵが接続されているＢＢＵを選択することができる。
【００２１】
その後、Ｒ２ＴＯ  １０は、追加されたＲＲＵを選択されたＢＢＵに接続するために、λＣＴＲＬ  ５１をトリガする２．７。この例で、λＣＴＲＬ  ５１は、ＢＢＵ２  ４２に接続するためにＲＲＵ１  ２１をトリガする。追加されたＲＲＵが以前に接続されたのと同じＢＢＵが選択された場合、もちろん、トリガを実行する必要はない。別のＢＢＵが選択された場合、λＣＴＲＬ  ５１はＲＲＵをグレースフルシャットダウンした後、別のＢＢＵに再接続する。この例でＲＲＵ１  ２１は、ＲＲＵ１がＢＢＵ２  ４２に再接続された後でグレースフルシャットダウンされる。
【００２２】
方法は、ＲＲＵおよびＢＢＵの最良の組み合わせでＢＢＵ−ＲＲＵネットワークを最新に保つように、サービスウィンドウ中に無線構成を最適化するためにも使用可能である。例えば、ＢＢＵで保守が実行される場合、保守で設定されるＢＢＵに接続されたＲＲＵに対して、新規のＢＢＵを選択するために方法を実行することができる。いくつかのＲＲＵが他の時間ウィンドウ中にシャットダウンできる場合に、方法を使用することも可能であり、例えば、住宅エリアに配置されたＲＲＵをオフにし、オフィスエリア内のＲＲＵは営業時間中オンにするが、両方に対して同じＢＢＵリソースを使用する。
【００２３】
図３は、実施形態に従った方法を示す。方法は、通信ネットワーク内で無線リソースユニットＲＲＵのベースバンドユニットＢＢＵへの接続を制御するために、通信ネットワーク内のネットワークノード１０によって実行される。通信ネットワークは複数のＲＲＵ  ２１〜２４および複数のＢＢＵ  ４１〜４３を備え、各ＲＲＵは分散ネットワーク３５を介してＢＢＵに接続されている。方法は、第１のＲＲＵ  ２１の第１のＢＢＵ  ４１への接続が制御されることになることを示す情報を受信すること１０２、ならびに、近隣ＲＲＵ  ２２、２３からの信号に対して測定を実行するために、および実行された測定の報告を通信ネットワークに送信するために、第１のＲＲＵ  ２１に接続されたユーザ機器ＵＥ  ３０をトリガすること１０４を含む。方法は、実行された測定の報告を受信すること１０６、ならびに、実行された測定の報告と、近隣ＲＲＵ  ２２、２３が複数のＢＢＵ  ４１〜４３のうちのいずれに接続されるかに関する情報とに基づいて、複数のＢＢＵ  ４１〜４３の中から第１のＲＲＵ  ２１が接続されることになるＢＢＵを選択すること１０８を、さらに含む。
【００２４】
近隣ＲＲＵは、第１のＲＲＵによって制御されるセルの近隣にあるセルにカバレージを提供するＲＲＵである。近隣ＲＲＵからの信号に対して実行される測定は、信号強度測定とすることができる。
【００２５】
こうした方法により、ＲＲＵ−ＢＢＵ接続の構成を計画する必要はない。方法は、好適なＢＢＵへの追加ＲＲＵの自動接続を容易にし、ＢＢＵは、例えばネットワーク計画の最適化および／または近隣ＲＲＵからの信号の処理に関して好適である。ＢＢＵおよびＲＲＵが通信ネットワークに追加される場合、ネットワークノード（例えばＲ２ＴＯ）は、ＲＲＵのＢＢＵへの接続の際に最良のトポロジを継続的に適応させる。この結果、ＢＢＵとＲＲＵとの間により疎な関係が生じることになり、ＢＢＵおよびＲＲＵは互いに半独立に配設可能である。これにより、現在のコアネットワーク側と、すなわち、プール内で採用されるサービングＧＰＲＳサポートノードＳＧＳＮ、またはプール内で採用されるモバイルスイッチングセンターＭＳＣと、同様の効果を無線ネットワーク側で達成することになる。方法（および以下の実施形態で説明するネットワークノード）は、かなり単純なマルチオペレータ解決策も実行可能であり、すなわち２人のオペレータは同じインフラストラクチャを共有するが、別の周波数を使用する。ネットワークノードには、セルがいずれのオペレータに属しているかがわかるため、正しいＲＲＵを正しいＢＢＵに接続させることができる。
【００２６】
さらに、測定報告が標準化３ＧＰＰ報告などの標準化された報告である場合、ＵＥが近隣セルを測定するために既存の機構が使用され、すなわちＵＥ側ではいかなる変更も実行する必要がない。追加された機構はネットワークノード内で実行され、測定報告を例えばＯＳＳから抽出し、ＢＢＵとＲＲＵとの間の最良の接続解決策を計算する。
【００２７】
実施形態によれば、第１のＲＲＵ  ２１が接続されることになるＢＢＵを選択すること１０８は、実行された測定の報告からいずれのＲＲＵが近隣ＲＲＵであるかを決定すること、および決定された近隣ＲＲＵがいずれのＢＢＵに接続されているかを決定すること、および近隣ＲＲＵのうちのいずれかが接続されるＢＢＵを選択することを、さらに含むことができる。
【００２８】
実施形態によれば、実行された測定の報告は、複数のＲＲＵ  ２１〜２４のうちのいずれが近隣ＲＲＵであるかを検出するために使用される。
【００２９】
さらに別の実施形態によれば、方法は、ＢＢＵが選択された１０８後に、すでに使用されているものと同じＢＢＵ、この場合は第１のＢＢＵが選択されたかどうかをチェックすること１１０を、さらに含む。選択されたＢＢＵが第１のＢＢＵ  ４１とは異なる第２のＢＢＵ  ４２である場合、方法は、第１のＲＲＵ  ２１を第１のＢＢＵ  ４１から切断するための命令をトリガすること１１２、および第１のＲＲＵ  ２１を第２のＢＢＵ  ４２に接続するための命令をトリガすること１１４を含む。
【００３０】
さらに別の実施形態によれば、方法は、選択されたＢＢＵが第１のＢＢＵである場合、第１のＲＲＵ  ２１の第１のＢＢＵ  ４１への接続を維持すること１１１をさらに含む。
【００３１】
他の実施形態によれば、第１のＲＲＵ  ２１の第１のＢＢＵ  ４１への接続が制御されることになることを示す情報は、第１のＲＲＵの第１のＢＢＵへの接続が確立されていることを示す情報である。こうした情報は、接続が確立された、または新規に確立される、または確立されようとしている時に、例えばλＣＴＲＬが接続の確立を完了した場合はλＣＴＲＬによって、トリガすることができる。
【００３２】
さらに別の実施形態によれば、第１のＲＲＵ  ２１の第１のＢＢＵ  ４１への接続が制御されることになることを示す情報は、第１のＲＲＵが通信ネットワークに追加されていることを示す情報である。
【００３３】
図４は、通信ネットワーク内で、無線リソースユニットＲＲＵのベースバンドユニットＢＢＵへの接続を制御するように構成された、Ｒ２ＴＯなどのネットワークノード１０の実施形態を示し、通信ネットワークは、複数のＲＲＵ  ２１〜２４および複数のＢＢＵ  ４１〜４３を備え、各ＲＲＵは分散ネットワーク３５を介してＢＢＵに接続される。ネットワークノード１０は、第１のＲＲＵ  ２１の第１のＢＢＵ  ４１への接続が制御されることになることを示す情報を受信するように構成された受信ユニット２０２と、近隣ＲＲＵ  ２２、２３からの信号に対して測定を実行するために、および実行された測定の報告を通信ネットワークに送信するために、第１のＲＲＵ  ２１に接続されたユーザ機器ＵＥ  ３０をトリガするように構成されたトリガユニット２０４と、を備える。ネットワークノード１０は、実行された測定の報告と、近隣ＲＲＵ  ２２、２３が複数のＢＢＵ  ４１〜４３のうちのいずれに接続されるかに関する情報とに基づいて、複数のＢＢＵ  ４１〜４３の中から第１のＲＲＵ  ２１が接続されることになるＢＢＵを選択するように構成された選択ユニット２０６をさらに備える。さらに受信ユニット２０２は、実行された測定の報告を受信するように構成される。
【００３４】
ネットワークノード１０は、λＣＴＲＬ  ５１およびＯＳＳ  ５２などの通信ネットワーク内の他のユニットに、信号を送信するための送信ユニット２０８をさらに備える。さらに、トリガユニット２０４および選択ユニット２０６は、ネットワークノード１０のプロセッサ２０９のユニットとして構成可能である。ネットワークノード１０は、コンピュータプログラムを記憶可能なメモリ２１０を備えることもできる。コンピュータプログラム、またはコンピュータプログラム製品は、ネットワークノード１０内、例えばネットワークノード１０のプロセッサ２０９内で実行された場合、本開示の実施形態のうちのいずれかに記載された方法をネットワークノードに実行させる、コンピュータ可読コード手段を備える。
【００３５】
実施形態によれば、選択ユニット２０６は、実行された測定の報告からいずれのＲＲＵが近隣ＲＲＵであるかを決定すること、および決定された近隣ＲＲＵがいずれのＢＢＵに接続されているかを決定すること、ならびに近隣ＲＲＵのうちのいずれかが接続されるＢＢＵを選択することによって、第１のＲＲＵ  ２１が接続されることになるＢＢＵを選択するように構成される。
【００３６】
別の実施形態によれば、選択ユニット２０６は、複数のＲＲＵ  ２１〜２４のうちのいずれが近隣ＲＲＵ  ２２、２３であるかを検出するために、実行された測定の報告を使用するように構成される。
【００３７】
さらに別の実施形態によれば、トリガユニット２０４は、選択されたＢＢＵが第１のＢＢＵ  ４１とは異なる第２のＢＢＵ  ４２である場合、第１のＲＲＵ  ２１を第１のＢＢＵ  ４１から切断するための命令をトリガするように、および第１のＲＲＵ  ２１を第２のＢＢＵ  ４２に接続するための命令をトリガするように、構成される。
【００３８】
さらに別の実施形態によれば、トリガユニット２０４は、選択されたＢＢＵが第１のＢＢＵ  ４１である場合、第１のＲＲＵ  ２１の第１のＢＢＵ  ４１への接続を維持するように構成される。
【００３９】
別の実施形態によれば、第１のＲＲＵ  ２１の第１のＢＢＵ  ４１への接続が制御されることになることを示す情報は、第１のＲＲＵの第１のＢＢＵへの接続が確立されていることを示す情報である。
【００４０】
別の実施形態によれば、第１のＲＲＵ  ２１の第１のＢＢＵ  ４１への接続が制御されることになることを示す情報は、第１のＲＲＵが通信ネットワークに追加されていることを示す情報である。
【００４１】
前述のように、ネットワークノード１０はＲ２ＴＯノードと呼ばれるノードとすることができる。しかしながら、ネットワークノードは、記載された実施形態のうちのいずれかに従った方法を実行可能な、ネットワーク内の任意の種類のノードとすることができる。例えばネットワークノードは、その場合、記載された方法の実施形態を実行可能な図１０に記載されたようなユニットが装備されたλＣＴＲＬノード５１とすることができる。
【００４２】
方法およびネットワークノードの開示された実施形態により、ＲＲＵは適切なＢＢＵへの接続を自動的に確立することができる。例えばＲＲＵは、単に通信ネットワーク内にプラグインされることが可能であり、適切なＢＢＵへの接続が確立されることになる。これは特に、多くの小セルを伴う密集都市エリアに注目することが可能であり、配設される小ＲＲＵの量およびそれらを配設する際のコスト圧力により、単純なネットワーク配設が求められる。また、こうした密集都市エリアネットワークでは、ネットワークに新規ＲＲＵが繰り返し追加可能であり、こうしたＲＲＵの容易な配設が求められる。さらに、開示された実施形態および方法は、マルチベンダＲＲＵ／ＢＢＵおよびマルチオペレータＲＲＵ／ＢＢＵの両方をサポートすることができる。
【００４３】
別の実施形態によれば、ＲＲＵは、ＢＢＵの機能停止またはＢＢＵへの接続障害によって再接続される。
【００４４】
以上、特定の例示的実施形態を参照しながら解決策を説明してきたが、この説明は一般に発明の概念を例示することのみを意図しており、解決策の範囲を限定するものと捉えるべきではない。解決策は添付の特許請求の範囲によって定義される。
【図１】
2015534368.tif 000003
【図２】
2015534368.tif 000004
【図３】
2015534368.tif 000005
【図４】
2015534368.tif 000006
【国際調査報告】
2015534368.tif 000007
2015534368.tif 000008
2015534368.tif 000009